(57)【要約】【課題】より効率良く作製することができる包装容器や、そのような包装容器の展開体を提供することを目的としている。【解決手段】包装容器１が、多角形状の底壁１１０と、底壁１１０から折起こされた端壁１３０と、底壁１１０から折起こされた側壁１４０と、側壁１４０の前側で折れ曲がり、底壁１１０上を斜行して前側の端壁１３１へと向かう斜壁１５０と、前側の端壁１３１と底壁１１０との境界線近傍における各斜壁１５０の底壁１１０側の縁の延長線との交点近傍に設けられたスリット１７０と、各斜壁１５０の底壁１１０側の縁における前側の端壁１３１側の端部近傍を折り目として底壁１１０と重なるように折れ曲がって突出し、その先端１８１がスリット１７０へと挿入係止されている係止片１８０と、を備える。【選択図】図２
2018002273.tif 000002
【特許請求の範囲】
【請求項１】
端辺、及び、前記端辺と交差する方向に延びて互いに対向する側辺、を有する多角形状の底壁と、
前記端辺を折り目として前記底壁から折起こされる端壁と、
前記側辺を折り目として前記底壁から折起こされ、前記側辺に沿った方向について前記端壁から離れている側壁と、
前記側壁における前記端壁側の縁に連続して形成されるとともに、当該縁を折り目として折れ曲がり、前記底壁上を斜行して前記端壁へと向かう斜壁と、
前記端壁と前記底壁との境界線近傍における、前記斜壁の前記底壁側の縁の延長線との交点近傍に設けられたスリットと、
前記斜壁の前記底壁側の縁における前記端壁側の端部近傍を折り目として前記底壁と重なるように折れ曲がって突出し、前記スリットへと挿入係止されている係止片と、
を備えることを特徴とする包装容器。
【請求項２】
前記底壁は、前記境界線をなす前記端辺の長さが、前記側辺と交差する方向についての前記底壁の幅よりも短く、前記端辺の端部と、前記側辺における当該端辺側の端部と、を結んで斜行する斜辺を有しており、
前記斜辺を折り目として前記底壁と重なるように折返されているとともに、前記斜壁の前記底壁側の縁における前記係止片よりも前記側壁側の部分に繋がった第１連結壁と、
前記端壁における前記側壁側の縁を折り目として当該端壁側へと折返されているとともに、前記第１連結壁の当該端壁側の縁に繋がった第２連結壁と、
を備えることを特徴とする請求項１に記載の包装容器。
【請求項３】
前記斜壁には、前記底壁側の縁における前記係止片と前記第１連結壁との境界部から前記底壁と交差する方向に沿って、前記スリットに対する前記係止片の挿抜方向に当該斜壁を中途で折曲げるための挿抜用折り目が設けられていることを特徴とする請求項２に記載の包装容器。
【請求項４】
前記底壁が、前記端辺と対向する対向端辺を有し、
前記対向端辺を折り目として前記底壁から折起こされて前記端壁と対向する対向端壁と、
前記対向端壁における前記底壁とは反対側の縁に連続して形成されて、前記底壁、前記端壁、前記側壁、前記斜壁、及び前記対向端壁で区画された内部空間を開閉可能に塞ぐ蓋壁と、
前記蓋壁における前記端壁側の縁を折り目として前記蓋壁から折起こされるとともに、前記蓋壁が閉じられると、前記端壁と前記第２連結壁との間に差入れられる差入れ壁と、
を備えたことを特徴とする請求項２又は３に記載の包装容器。
【請求項５】
請求項１乃至４のうちいずれか一項に記載の包装容器を作製するための一枚のシート状の展開体であって、
前記底壁を構成する底壁シート部分と、
前記底壁シート部分と折り目を介して面一に連結形成されて前記端壁を構成する端壁シート部分と、
前記底壁シート部分と折り目を介して面一に連結形成されて前記側壁を構成する側壁シート部分と、
前記側壁シート部分と折り目を介して面一に連結形成されて前記斜壁を構成する斜壁シート部分と、
前記斜壁シート部分と折り目を介して面一に連結形成されて前記係止片を構成する係止片シート部分と、を備え、
前記端壁シート部分と前記底壁シート部分との境界線をなす折り目の近傍に前記スリットが形成されている
ことを特徴とする包装容器の展開体。
【発明の詳細な説明】
【技術分野】
【０００１】
本発明は、包装容器、及び、包装容器の展開体に関する。
【背景技術】
【０００２】
従来、ピザ等といった商品の包装容器として、例えば段ボール紙等で作製された包装容器が広く用いられている（例えば、特許文献１参照。）。このような包装容器は、多角形状の底壁の各辺から折起こした壁を組み合わせて箱状に作製される。多くの場合、１枚のシート状の展開体の状態で店舗等に保管されており、適宜に展開体から包装容器が作製されて商品の包装に供される。
【先行技術文献】
【特許文献】
【０００３】
【特許文献１】特開２００１−２８７７３１号公報
【発明の概要】
【発明が解決しようとする課題】
【０００４】
ここで、包装の作業現場では、包装容器の作製について効率良く行うことが求められる。しかしながら、従来の包装容器は、折起こした壁の組合せ等に手間がかかることが多く、より効率良く作製することができる包装容器や、そのような包装容器の展開体が望まれている。
【０００５】
本発明は、かかる問題を解決することを目的としている。即ち、本発明は、より効率良く作製することができる包装容器や、そのような包装容器の展開体を提供することを目的としている。
【課題を解決するための手段】
【０００６】
上記目的を達成するために、本発明の包装容器は、端辺、及び、前記端辺と交差する方向に延びて互いに対向する側辺、を有する多角形状の底壁と、前記端辺を折り目として前記底壁から折起こされる端壁と、前記側辺を折り目として前記底壁から折起こされ、前記側辺に沿った方向について前記端壁から離れている側壁と、前記側壁における前記端壁側の縁に連続して形成されるとともに、当該縁を折り目として折れ曲がり、前記底壁上を斜行して前記端壁へと向かう斜壁と、前記端壁と前記底壁との境界線近傍における、前記斜壁の前記底壁側の縁の延長線との交点近傍に設けられたスリットと、前記斜壁の前記底壁側の縁における前記端壁側の端部近傍を折り目として前記底壁と重なるように折れ曲がって突出し、前記スリットへと挿入係止されている係止片と、を備えることを特徴とする。
【０００７】
本発明の包装容器では、係止片は斜壁に設けられ、斜壁は側壁に連続して形成されている。このため、底壁や端壁に対する斜壁や側壁の相対位置が、スリットへと挿入係止された係止片により維持される。従って、本発明の包装容器は、作製時には、スリットへの係止片の挿入係止という簡単な作業により、効率良く箱状に保形することができる。このように、本発明の包装容器は、効率良く作製することができるものとなっている。
【０００８】
ここで、本発明の包装容器において、前記底壁は、前記境界線をなす前記端辺の長さが、前記側辺と交差する方向についての前記底壁の幅よりも短く、前記端辺の端部と、前記側辺における当該端辺側の端部と、を結んで斜行する斜辺を有しており、前記斜辺を折り目として前記底壁と重なるように折返されているとともに、前記斜壁の前記底壁側の縁における前記係止片よりも前記側壁側の部分に繋がった第１連結壁と、前記端壁における前記側壁側の縁を折り目として当該端壁側へと折返されているとともに、前記第１連結壁の当該端壁側の縁に繋がった第２連結壁と、を備えることが好適である。
【０００９】
この好適な包装容器では、第１連結壁が底壁と斜壁とを繋いでおり、第２連結壁が端壁と第１連結壁とを繋いでいる。これにより、この包装容器の作成時には、第１連結壁と第２連結壁とを一緒に折返すことで、第１連結壁に引かれて斜壁及び側壁が折起こされ、第２連結壁に引かれて端壁が折起こされる。このように、上記の好適な包装容器は、その作製時には、第１連結壁と第２連結壁との折返しという一動作で、底壁を囲む壁が略折起こされて箱状に形成することができる。つまり、上記の好適な包装容器は、一層効率良く作製することができるものとなっている。
【００１０】
また、この好適な包装容器において、前記斜壁には、前記底壁側の縁における前記係止片と前記第１連結壁との境界部から前記底壁と交差する方向に沿って、前記スリットに対する前記係止片の挿抜方向に当該斜壁を中途で折曲げるための挿抜用折り目が設けられていることが更に好適である。
【００１１】
この更に好適な包装容器は、斜壁に挿抜用折り目が設けられているので、その作製時におけるスリットへの係止片の挿入係止が一層容易なものとなっている。つまり、この更に好適な包装容器は、一層効率良く作製することができるものとなっている。
【００１２】
また、第１連結壁と第２連結壁とを備えた上記の好適な包装容器において、前記底壁が、前記端辺と対向する対向端辺を有し、前記対向端辺を折り目として前記底壁から折起こされて前記端壁と対向する対向端壁と、前記対向端壁における前記底壁とは反対側の縁に連続して形成されて、前記底壁、前記端壁、前記側壁、前記斜壁、及び前記対向端壁で区画された内部空間を開閉可能に塞ぐ蓋壁と、前記蓋壁における前記端壁側の縁を折り目として前記蓋壁から折起こされるとともに、前記蓋壁が閉じられると、前記端壁と前記第２連結壁との間に差入れられる差入れ壁と、を備えたことも更に好適である。
【００１３】
この更に好適な包装容器は、その作製時には、対向端壁を折起こし、蓋壁を閉じるとともに端壁と第２連結壁との間に差入れ壁を差入れることで、簡単に閉じ箱状に形成することができる。つまり、この更に好適な包装容器も、一層効率良く作製することができるものとなっている。
【００１４】
また、上記目的を達成するために、本発明の包装容器の展開体は、上述した本発明の包装容器を作製するための一枚のシート状の展開体であって、前記底壁を構成する底壁シート部分と、前記底壁シート部分と折り目を介して面一に連結形成されて前記端壁を構成する端壁シート部分と、前記底壁シート部分と折り目を介して面一に連結形成されて前記側壁を構成する側壁シート部分と、前記側壁シート部分と折り目を介して面一に連結形成されて前記斜壁を構成する斜壁シート部分と、前記斜壁シート部分と折り目を介して面一に連結形成されて前記係止片を構成する係止片シート部分と、を備え、前記端壁シート部分と前記底壁シート部分との境界線をなす折り目の近傍に前記スリットが形成されていることを特徴とする。
【００１５】
本発明の包装容器の展開体によれば、包装容器への作製時には、スリットへの係止片の挿入係止という簡単な作業により、効率良く箱状に保形することができる。このように、本発明の包装容器の展開体によれば、効率良く包装容器を作製することができるものとなっている。
【００１６】
尚、本発明の包装容器の展開体については、基本形態のみを記載し、その好適な形態については割愛したが、上述した本発明の包装容器について記載した種々の好適な形態のそれぞれが、本発明の包装容器の展開体にも対応していることは言うまでもない。
【発明の効果】
【００１７】
本発明によれば、より効率良く作製することができる包装容器や、そのような包装容器の展開体を提供することができる。
【図面の簡単な説明】
【００１８】
【図１】本発明の一実施形態にかかる包装容器を示す斜視図である。
【図２】図１に示されている包装容器を、内部空間が見える状態で示す斜視図である。
【図３】図２に示されている前側の端壁や一対の前側斜壁を上方から見下ろした図である。
【図４】図１〜図３に示されている包装容器を作製するための展開体を示す図である。
【図５】図４に示されている包装容器の展開体２から、図１〜３に示されている包装容器１を作製する作成手順を示す図である。
【図６】第１の別例における包装容器の展開体を示す図である。
【図７】第２の別例における包装容器の展開体を示す図である。
【発明を実施するための形態】
【００１９】
以下、本発明の一実施形態にかかる包装容器、及び、包装容器の展開体について説明する。まず、包装容器について図１〜図３を参照して説明する。
【００２０】
（包装容器）
図１は、本発明の一実施形態にかかる包装容器を示す斜視図である。また、図２は、図１に示されている包装容器を、内部空間が見える状態で示す斜視図である。
【００２１】
本実施形態の包装容器１は、ピザの包装に用いられる段ボール紙製の紙箱容器である。この包装容器１は、上方から見たときの平面視形状が八角形となった扁平な容器であり、底壁１１０と、蓋壁１２０と、を備えている。蓋壁１２０は矢印Ｄ１方向に開閉自在となっているが、図１には、蓋壁１２０が閉じられた包装容器１が示されており、図２には、蓋壁１２０が開かれて底壁１１０が見える状態で包装容器１が示されている。また、図１及び図２には、蓋壁１２０の回動軸と平行な幅方向に相当するＸ軸方向と、蓋壁１２０の回動軸側を後側でその反対側を前側と見たときの前後方向に相当するＹ軸方向と、包装容器１の高さ方向に相当するＺ軸方向と、が示されている。また、図１及び図２では、図中左下側が包装容器１の前側に相当し、図中右上側が包装容器１の後側に相当する。
【００２２】
底壁１１０は、幅方向（Ｘ軸方向）に延びて互いに対向する一対の端辺１１１、及び、この端辺１１１と交差する前後方向（Ｙ軸方向）に延びて互いに対向する一対の側辺１１２、を有した板壁である。一対の端辺１１１それぞれの長さは、一対の側辺１１２の相互間隔よりも短い。一対の端辺１１１のうち前側の端辺１１１ａの両端１１１ａ−１それぞれと、一対の側辺１１２それぞれにおける前側の端部１１２ａと、の間が一対の前側斜辺１１３で結ばれている。また、後側の端辺１１１ｂ（対向端辺）の両端１１１ｂ−１それぞれと、一対の側辺１１２それぞれにおける後側の端部１１２ｂと、の間が一対の後側斜辺１１４で結ばれている。底壁１１０は、一対の端辺１１１、一対の側辺１１２、一対の前側斜辺１１３、及び一対の後側斜辺１１４で囲まれた八角形を有している。
【００２３】
蓋壁１２０は、底壁１１０と略同様の八角形の板壁となっている。この蓋壁１２０については後でもう一度説明する。
【００２４】
また、包装容器１は、一対の端壁１３０と、一対の側壁１４０と、一対の前側斜壁１５０と、一対の後側斜壁１６０と、を備えている。
【００２５】
一対の端壁１３０は、一対の端辺１１１それぞれを折り目として底壁１１０から折起こされて互いに対向する長方形状の帯板壁である。
【００２６】
一対の側壁１４０は、一対の側辺１１２それぞれを折り目として底壁１１０から折起こされて互いに対向する長方形状の帯板壁である。また、各側壁１４０は、前後それぞれの側の端壁１３０側の縁１４１，１４２が、側辺１１２に沿った前後方向（Ｙ軸方向）について各端壁１３０から離れている。
【００２７】
一対の前側斜壁１５０は、一対の側壁１４０それぞれの前側の端壁１３１側の縁１４１に連続して形成されるとともに、当該縁１４１を折り目として折れ曲がり、底壁１１０上を斜行して前側の端壁１３１へと向かう長方形状の帯板壁である。
【００２８】
図３は、図２に示されている前側の端壁や一対の前側斜壁を上方から見下ろした図である。図３には、図１及び図２と同様のＸ軸方向とＹ軸方向とが示されている。また、この図３では、図中右側が包装容器１の前側に相当し、図中左側が包装容器１の後側に相当する。
【００２９】
まず、前側の端壁１３１における、底壁１１０との境界線をなす前側の端辺１１１ａ近傍であって、一対の前側斜壁１５０それぞれの底壁１１０側の縁１５１の延長線との交点近傍に一対のスリット１７０が設けられている。各スリット１７０は、上記の交点から、各側壁１４０側へと延びるように形成されている。
【００３０】
そして、一対の前側斜壁１５０それぞれにおける前側の端壁１３１側の端部には各スリット１７０へと挿入係止されている係止片１８０が設けられている。各係止片１８０は、各前側斜壁１５０の底壁１１０側の縁１５１における前側の端部近傍１５１ａを折り目として、底壁１１０と重なるように包装容器１の外側へと折れ曲がって端壁１３１に向かって突出するように設けられている。そして、各係止片１８０の先端１８１が各スリット１７０へと挿入係止されている。
【００３１】
また、本実施形態では、前側斜壁１５０が、第１連結壁１９１を介して底壁１１０に連結され、その第１連結壁１９１が第２連結壁１９２を介して前側の端壁１３１に連結されている。第１連結壁１９１は、各前側斜壁１５０について１つずつ一対が設けられている。また、第２連結壁１９２は、各第１連結壁１９１について１つずつ一対が設けられている。
【００３２】
各第１連結壁１９１は、底壁１１０の前側の斜辺１１３を折り目として、図３中に矢印Ｄ２で示されているように底壁１１０における収容側の面と重なるように折返されている。そして、各第１連結壁１９１は、前側斜壁１５０の底壁１１０側の縁１５１における上記の係止片１８０よりも側壁１４０側の部分１５１ｂに繋がっている。
【００３３】
各第２連結壁１９２は、前側の端壁１３１における側壁１４０側の縁１３１ａを折り目として、図３中に矢印Ｄ３で示されているように前側の端壁１３１側へと折返されている。そして、各第２連結壁１９２は、各第１連結壁１９１の前側の端壁１３１側の縁１１３ａに繋がっている。
【００３４】
また、本実施形態では、各前側斜壁１５０に、スリット１７０に対する係止片１８０の、図３中に示されている挿抜方向Ｄ４に前側斜壁１５０を中途で折曲げるための挿抜用折り目１５２が設けられている。
【００３５】
このとき、本実施形態では、一対の後側斜壁１６０が、一対の側壁１４０それぞれの後側の端壁１３２（対向端壁）側の縁１４２に連続して形成されている。そして、各後側斜壁１６０は、当該縁１４２を折り目として折れ曲がり、底壁１１０上を斜行して後側の端壁１３２へと向かう長方形状の帯板壁となっている。また、各後側斜壁１６０の、側壁１４０側とは反対側の縁１６１には、この縁１６１を折り目として折れ曲がって、後側の端壁１３２の内面に当接する当接壁１６２が設けられている。
【００３６】
また、各後側斜壁１６０は、後側連結壁１９３を介して底壁１１０に連結されている。後側連結壁１９３は、各後側斜壁１６０について１つずつ一対が設けられている。各後側連結壁１９３は、底壁１１０の後側の斜辺１１４を折り目として底壁１１０側へと折返されている。そして、各後側連結壁１９３は、後側斜壁１６０の底壁１１０側の縁１６３における上記の当接壁１６２よりも側壁１４０側の部分に繋がっている。
【００３７】
また、図２に示されているように、蓋壁１２０は、後側の端壁１３２における底壁１１０とは反対側の上縁１３２ａに連続して形成されている。蓋壁１２０は、後側の端壁１３２とともに、底壁１１０の後側の端辺１１１ｂと、後側の端壁１３２の上縁１３２ａと、を回動軸として、底壁１１０、端壁１３０、側壁１４０、及び前側斜壁１５０で区画された内部空間を開閉可能に塞ぐ。
【００３８】
また、蓋壁１２０には、前側の端壁１３１側の縁１２１を折り目として蓋壁１２０から折起こされた差入れ壁１２２が設けられている。この差入れ壁１２２は、蓋壁１２０が図１に示されているように閉じられると、前側の端壁１３１と、一対の第２連結壁１９２と、の間に差入れられる。蓋壁１２０と差入れ壁１２２との境界線をなす縁１２１の略中央には、差入れ壁１２２が折起こされるときに蓋壁１２０と面一になって残って、蓋壁１２０が閉じられたときに前方側に突出する蓋止め爪１２３が設けられている。本実施形態では、差入れ壁１２２の幅が、この包装容器１の深さよりも短くなっている。蓋止め爪１２３は、蓋壁１２０が閉じられたときに図１に示されているように前側の端壁１３１に当接して蓋壁１２０を前側の端壁１３１上に止める。また、この蓋止め爪１２３は、蓋壁１２０を開くときの手掛かり等にも用いられる。
【００３９】
蓋壁１２０には、側壁１４０側の縁１２４を折り目として蓋壁１２０から折起こされた側壁側差入れ壁１２５が一対設けられている。各側壁側差入れ壁１２５は、蓋壁１２０が閉じられると、側壁１４０の内側に差入れられる。
【００４０】
次に、本発明の一実施形態にかかる包装容器の展開体について図４を参照して説明する。
【００４１】
（包装容器の展開体）
図４は、図１〜図３に示されている包装容器を作製するための展開体を示す図である。図４には、図１〜図４と同様のＸ軸方向とＹ軸方向とが示されている。
【００４２】
図４に示されている包装容器の展開体２は、段ボール紙で形成された一枚のシート状のものである。図４では、図中下側が包装容器１の前側に相当し、図中上側が包装容器１の後側に相当する。また、この図４では、包装容器の展開体２の材料である段ボール紙の段目が、図中の円中に引かれた縦線によって示されている。
【００４３】
この包装容器の展開体２は、底壁シート部分２１０と、蓋壁シート部分２２０と、一対の端壁シート部分２３０と、一対の側壁シート部分２４０と、を備えている。
【００４４】
底壁シート部分２１０は、上述した底壁１１０を構成する八角形のシート部分であり、蓋壁シート部分２２０は、上述した蓋壁１２０を構成する同様の八角形のシート部分である。一対の端壁シート部分２３０は、底壁シート部分２１０と幅方向（Ｘ軸方向）に延びる折り目２１１を介して面一に連結形成されて一対の端壁１３０を構成するシート部分である。また、一対の側壁シート部分２４０は、底壁シート部分２１０と前後方向（Ｙ軸方向）に延びる折り目２１２を介して面一に連結形成されて一対の側壁１４０を構成するシート部分である。また、蓋壁シート部分２２０は、後側の端壁シート部分２３２と幅方向（Ｘ軸方向）に延びる折り目２３２ａを介して面一に連結形成されている。各折り目２１１，２１２，２３２ａは、シート部分相互間の境界線に成形された罫線に破線状の切れ目を入れることで形成されている。
【００４５】
一対の側壁シート部分２４０の前側には折り目２４１を介して一対の前側斜壁シート部分２５０が面一に連結形成されている。一対の前側斜壁シート部分２５０は、一対の前側斜壁１５０を構成するシート部分である。また、一対の側壁シート部分２４０の後側には折り目２４２を介して一対の後側斜壁シート部分２６０が面一に連結形成されている。ここでの折り目２４１，２４２は、シート部分相互間の境界線に成形された罫線のみで形成されている。
【００４６】
前側の端壁シート部分２３１と底壁シート部分２１０との境界線をなす折り目２１１上には、一対のスリット用切れ目２７０が形成されている。スリット用切れ目２７０は、包装容器１の前側へと凸となったＣ字形状の切れ目である。前側の端壁シート部分２３１が折り目２１１で折られて前側の端壁１３１が構成されると、スリット用切れ目２７０で囲まれた部分が、底壁シート部分２１０と面一のまま残ることで、前側の端壁１３１の下端にスリット１７０が形作られる。
【００４７】
そして、一対の前側斜壁シート部分２５０それぞれの前側端部には、前側の端壁シート部分２３１へと向かって幅方向（Ｘ軸方向）に突出する一対の係止片シート部分２８０が、折り目２５１ａを介して連結形成されている。一対の係止片シート部分２８０は、一対の斜壁シート部分２５０それぞれと折り目２５１ａを介して面一に連結形成されて一対の係止片１８０を構成するシート部分である。ここでの折り目２５１ａは、シート部分相互間の境界線に成形された罫線に両端を残して切れ目を入れることで形成されている。
【００４８】
また、各前側斜壁シート部分２５０における、各係止片シート部分２８０の各側壁シート部分２４０側の根本からは、幅方向（Ｘ軸方向）に各前側斜壁シート部分２５０を横断するように上述した挿抜用折り目１５２が設けられている。挿抜用折り目１５２は罫線のみで形成されている。
【００４９】
また、一対の前側斜壁シート部分２５０それぞれの、係止片シート部分２８０と繋がった部分以外の部分と、底壁シート部分２１０と、の間を繋ぐように三角形状の第１連結壁シート部分２９１が形成されている。第１連結壁シート部分２９１は、折り目２１３を介して底壁シート部分２１０と面一に連結形成されるとともに、折り目２５１ｂを介して前側斜壁シート部分２５０と面一に連結形成されている。一対の第１連結壁シート部分２９１は、一対の第１連結壁１９１を構成するシート部分である。ここでの折り目２１３，２５１ａは、シート部分相互間の境界線に成形された罫線に破線状の切れ目を入れることで形成されている。
【００５０】
また、三角形状の第１連結壁シート部分２９１における他の一辺と、前側の端壁シート部分２３１の幅方向（Ｘ軸方向）の各端部と、の間を繋ぐように第２連結壁シート部分２３１ａが、各第１連結壁シート部分２９１について１つずつ一対が形成されている。第２連結壁シート部分２９２は、折り目２１３ａを介して第１連結壁シート部分２９１と面一に連結形成されるとともに、折り目２３１ａを介して前側の端壁シート部分２３１と面一に連結形成されている。一対の第２連結壁シート部分２９１は、一対の第１連結壁１９１を構成するシート部分である。ここでの折り目２１３ａ，２３１ａは、シート部分相互間の境界線に成形された罫線に両端を残して切れ目を入れることで形成されている。また、各第２連結壁シート部分２３１ａは、各係止片シート部分２８０と繋がってはいないが略接するように設けられている。
【００５１】
一対の後側斜壁シート部分２６０それぞれの後側には、当接壁シート部分２６２が設けられている。各当接壁シート部分２６２は、折り目２６１を介して各後側斜壁シート部分２６０と面一に連結形成され、当接壁１６２を構成するシート部分である。この折り目２６１は、シート部分相互間の境界線に成形された罫線に両端を残して切れ目を入れることで形成されている。
【００５２】
また、一対の後側斜壁シート部分２６０それぞれと、底壁シート部分２１０と、の間を繋ぐように三角形状の後側連結壁シート部分２９３が形成されている。後連結壁シート部分２９３は、折り目２１４を介して底壁シート部分２１０と面一に連結形成されるとともに、折り目２６３を介して後側斜壁シート部分２６０と面一に連結形成されている。一対の後側連結壁シート部分２９３は、一対の後側連結壁１９３を構成するシート部分である。ここでの折り目２１４，２６３は、シート部分相互間の境界線に成形された罫線に破線状の切れ目を入れることで形成されている。
【００５３】
蓋壁シート部分２２０には、折り目２２１を介して、差入れ壁シート部分２２２が蓋壁シート部分２２０と面一に連結形成されている。差入れ壁シート部分２２２は、差入れ壁１２２を構成するシート部分である。折り目２２１は、シート部分相互間の境界線に成形された罫線のみで形成されている。また、この折り目２２１上には、蓋止め爪用切れ目２２３が形成されている。蓋止め爪用切れ目２２３は、展開体２の状態で、包装容器１の後側へと凸となったＣ字形状の切れ目である。差入れ壁シート部分２２２が折り目２２１で折られて差入れ壁１２２が構成されると、蓋止め爪用切れ目２２３で囲まれた部分が、蓋壁シート部分２２０と面一のまま残ることで、蓋止め爪１２３が形作られる。
【００５４】
また、蓋壁シート部分２２０には、折り目２２４を介して、一対の側壁側差入れ壁シート部分２２５が、蓋壁シート部分２２０と面一に連結形成されている。側壁側差入れ壁シート部分２２５は、側壁側差入れ壁１２５を構成するシート部分である。折り目２２１は、シート部分相互間の境界線に成形された罫線のみで形成されている。
【００５５】
次に、図４に示されている包装容器の展開体２から、図１〜３に示されている包装容器１を作製する作成手順について説明する。
【００５６】
（包装容器の作製手順）
図５は、図４に示されている包装容器の展開体２から、図１〜３に示されている包装容器１を作製する作成手順を示す図である。
【００５７】
本実施形態では、前側斜壁シート部分２５０を掴んで折曲げることで、包装容器１を作製することができる。図５には、前側斜壁シート部分２５０に注目した包装容器１の作成手順が示されている。
【００５８】
まず、前側斜壁シート部分２５０を掴んで底壁シート部分２１０側へと折起こす（ステップＳ１）。このときには、前側斜壁シート部分２５０と繋がった第１連結壁シート部分２９１が図３にも示されている矢印Ｄ２方向に折返されるように前側斜壁シート部分２５０が折起こされる（ステップＳ２）。
【００５９】
ステップＳ１，Ｓ２の折起こしの際には、前側斜壁シート部分２５０と一緒に側壁シート部分２４０も折起こされる。更に、第１連結壁シート部分２９１と繋がった第２連結壁シート部分２９３が、前側の端壁シート部分２３１へと折り返されつつ前側の端壁シート部分２３１が折起こされる。
【００６０】
また、上記のように側壁シート部分２４０が折起こされることで、後側斜壁シート部分２６０も一緒に折起こされる。この折起こしの際に、後側連結壁シート部分２９３も底壁シート部分２１０の収容側の面と重なるように折返される。
【００６１】
ステップＳ２の折起こしに続き、前側斜壁シート部分２５０を係止片シート部分２８０ごと底壁シート部分２１０へと、矢印Ｄ５方向に押し付ける（ステップＳ３）。この押付けにより、係止片シート部分２８０が、前側の端壁シート部分２３１に向かって突出するように折り目２５１ａで外側に折曲げられる。また、このときには、係止片シート部分２８０が前側の端壁シート部分２３１から離れるように、前側斜壁シート部分２５０が挿抜用折り目１５２で内側に折曲げられる。
【００６２】
この後、前側の端壁シート部分２３１の折起こしによって形作られたスリット１７０へと、係止片シート部分２８０の先端が矢印Ｄ６で示されている挿入方向に挿入係止される（ステップＳ４）。この係止片シート部分２８０の挿入係止によって図２及び図３に示されている蓋壁１２０が開いた状態の包装容器１が完成する。
【００６３】
そして、この包装容器１に例えばピザ等が収容され、蓋壁１２０が閉じられて、図１に示されている閉じ箱状の包装容器１となる。
【００６４】
以上に説明した本実施形態の包装容器１、及び包装容器の展開体２では、係止片１８０（係止片シート部分２８０）は前側斜壁１５０（前側斜壁シート部分２５０）に設けられている。そして、前側斜壁１５０（前側斜壁シート部分２５０）は側壁１４０（側壁シート部分２４０）に連続して形成されている。このため、完成した包装容器１における底壁１１０や端壁１３０に対する前側斜壁１５０や側壁１４０の相対位置が、スリット１７０へと挿入係止された係止片１８０（係止片シート部分２８０）により維持される。従って、本実施形態の包装容器１は、包装容器の展開体２からの作製時には、スリット１７０への係止片１８０（係止片シート部分２８０）の挿入係止という簡単な作業により、効率良く箱状に保形することができる。このように、本実施形態の包装容器１は、本実施形態の包装容器の展開体２から効率良く作製することができるものとなっている。
【００６５】
また、本実施形態の包装容器の展開体２は、図４に示されているように、略長方形状の範囲内に収まる形状となっており、例えば、そのような範囲から突出した部分を有する場合等と比較して材料としての段ボール紙が有効利用されている。
【００６６】
また、本実施形態の包装容器１、及び包装容器の展開体２では、第１連結壁１９１（第１連結壁シート部分２９１）が底壁１１０（底壁シート部分２１０）と前側斜壁１５０（前側斜壁シート部分２５０）とを繋いでいる。また、第２連結壁１９２（第２連結壁シート部分２９２）が前側の端壁１３１（前側の端壁シート部分２３１）と第１連結壁１９１（第１連結壁シート部分２９１）とを繋いでいる。これにより、この包装容器１の作成時には、図５に示されているように、前側斜壁１５０（前側斜壁シート部分２５０）の折起こしと一緒に第１連結壁１９１（第１連結壁シート部分２９１）と第２連結壁１９２（第２連結壁シート部分２９２）とが折返される。また、このときには、第２連結壁１９２（第２連結壁シート部分２９２）に引かれて前側の端壁１３１（前側の端壁シート部分２３１）が折起こされる。このように、本実施形態の包装容器１は、その作製時には、前側斜壁１５０（前側斜壁シート部分２５０）の折起こしという一動作で、底壁１１０（底壁シート部分２１０）を囲む壁が略折起こされて箱状に形成することができる。つまり、本実施形態の包装容器１は、この点においても包装容器の展開体２から効率良く作製することができるものとなっている。
【００６７】
また、本実施形態の包装容器１、及び包装容器の展開体２では、前側斜壁１５０（前側斜壁シート部分２５０）に挿抜用折り目１５２が設けられている。これにより、その作製時におけるスリット１７０への係止片１８０（係止片シート部分２８０）の挿入係止が一層容易なものとなっている。つまり、本実施形態の包装容器１は、この点においても包装容器の展開体２から効率良く作製することができるものとなっている。
【００６８】
また、本実施形態の包装容器１、及び包装容器の展開体２は、底壁１１０（底壁シート部分２１０）が一対の後側斜辺１１４を有する八角形状に形成されている。そして、一対の後側斜壁１６０（後側斜壁シート部分２６０）と、一対の後側連結壁１９３（後側斜壁シート部分２６０）と、を備えている。これにより、完成した包装容器１について、一対の端壁１３０の両方の形状が略同一形状となるので外観上の統一感が得られることから好適なものとなっている。
【００６９】
また、本実施形態の包装容器１、及び包装容器の展開体２では、後側の端壁１３２に連続して開閉可能な蓋壁１２０（蓋壁シート部分２２０）が連結形成されている。そして、その蓋壁１２０（蓋壁シート部分２２０）に差入れ壁１２２（差入れ壁シート部分２２２）が連結形成されている。これにより、作製時には、次のように包装容器１を簡単に閉じ箱状に形成することができる。即ち、後側の端壁１３２が折起こされ、蓋壁１２０（蓋壁シート部分２２０）が閉じられる。更に、前側の端壁１３１（前側の端壁シート部分２３１）と第２連結壁１９２（第２連結壁シート部分２９２）との間に差入れ壁１２２（差入れ壁シート部分２２２）が差入れられる。本実施形態の包装容器１は、このような閉じ箱状への形成が簡単である点においても包装容器の展開体２から効率良く作製することができるものとなっている。
【００７０】
次に、本発明の一実施形態にかかる包装容器の別例について、その展開体に注目して２つ説明する。これら２つの別例は、完成した包装容器における蓋壁の回動軸側の構造が、上述した実施形態とは異なっている。以下では、２つの別例について、主として上述した実施形態との相違点を説明する。
【００７１】
（第１の別例における包装容器の展開体）
図６は、第１の別例における包装容器の展開体を示す図である。図６には、図４と同様に、完成した包装容器における幅方向に相当するＸ軸方向と、前後方向に相当するＹ軸方向とが示されている。この図６でも、図４と同様に、図中下側が包装容器の前側に相当し、図中上側が包装容器の後側に相当する。また、この図６でも、図４と同様に、段ボール紙の段目が示されている。尚、図６では、図４に示されている実施形態と同等な構成要素については、図４と同じ符号が付されており、以下では、それら同等な構成要素の重複説明を省略する。
【００７２】
第１の別例における包装容器の展開体３では、一対の後側斜壁シート部分３１０それぞれの後端部に、折り目３５１を介して、前側の係止片シート部分２８０と同様の後側係止片シート部分３２０が連結形成されている。ここでの折り目３５１は、シート部分相互間の境界線に成形された罫線に両端を残して切れ目を入れることで形成されている。また、後側の端壁シート部分２３２と底壁シート部分２１０との折り目２１１上には後側スリット用切れ目３３０が一対設けられている。
【００７３】
また、一対の後側斜壁シート部分３１０それぞれの、後側係止片シート部分３２０と繋がった部分以外の部分と、底壁シート部分２１０と、の間を繋ぐように三角形状の後側第１連結壁シート部分３４１が形成されている。後側第１連結壁シート部分３４１は、折り目３５２を介して底壁シート部分２１０と面一に連結形成されるとともに、折り目３５３を介して後側斜壁シート部分３１０と面一に連結形成されている。ここでの折り目３５２，３５３は、シート部分相互間の境界線に成形された罫線に破線状の切れ目を入れることで形成されている。
【００７４】
また、一対の後側第１連結壁シート部分３４１それぞれの他の１辺と、後側の端壁シート部分２３２と、の間を繋ぐように後側第２連結壁シート部分３４２が形成されている。後側第２連結壁シート部分３４２は、折り目３５４を介して後側第１連結壁シート部分３４１と面一に連結形成されるとともに、折り目３５５を介して後側の端壁シート部分２３２と面一に連結形成されている。ここでの折り目３５４，３５５は、シート部分相互間の境界線に成形された罫線に両端を残して切れ目を入れることで形成されている。
【００７５】
また、各後側斜壁シート部分３１０における、各係止片シート部分３２０の各側壁シート部分２４０側の根本からは、幅方向（Ｘ軸方向）に各後側斜壁シート部分３１０を横断するように、前側と同様の挿抜用折り目３５６が設けられている。この挿抜用折り目３５６は罫線のみで形成されている。
【００７６】
このような第１の別例によっても、包装容器を効率良く箱状に保形することができることは言うまでもない。また、この第１の別例では、前側斜壁シート部分２５０と同様に後側斜壁シート部分３１０も底壁シート部分２１０側へと折起こされ、後側係止片シート部分３２０が、後側スリット用切れ目３３０によって構成されるスリットに挿入係止される。これにより、後側についても、前側と同様の安定性を保持しつつ、効率良く箱状に保形することができる。
【００７７】
（第２の別例における包装容器の展開体）
図７は、第２の別例における包装容器の展開体を示す図である。図７にも、図４と同様に、完成した包装容器における幅方向に相当するＸ軸方向と、前後方向に相当するＹ軸方向とが示されている。この図７でも、図４と同様に、図中下側が包装容器の前側に相当し、図中上側が包装容器の後側に相当する。また、この図７でも、図４と同様に、段ボール紙の段目が示されている。尚、図７でも、図４に示されている実施形態と同等な構成要素については、図４と同じ符号が付されており、以下では、それら同等な構成要素の重複説明を省略する。
【００７８】
第２の別例における包装容器の展開体４は、底壁シート部分４１０及び蓋壁シート部分４２０が、次のように五角形状に形成されている。即ち、各シート部分４１０，４２０の前側は、上述の実施形態や第１の別例と同様の３辺を有した形状となっているが、後側は、斜辺が設けられておらず一対の側辺間が１本の端辺で結ばれた形状となっている。
【００７９】
そして、底壁シート部分４１０の後側には、上記の１本の端辺に相当する折り目４６１を介して後側の端壁シート部分４３０が、底壁シート部分４１０と面一に連結形成されている。ここでの折り目４６１は、シート部分相互間の境界線に成形された罫線のみで形成されている。そして、後側の端壁シート部分４３０における底壁シート部分４１０とは反対側には、蓋壁シート部分４２０が折り目４６２を介して後側の端壁シート部分４３０と面一に連結形成されている。ここでの折り目４６２は、シート部分相互間の境界線に成形された罫線に破線状の切れ目を入れることで形成されている。
【００８０】
底壁シート部分４１０の左右両側には、上記の一対の側辺に相当する一対の折り目４６３を介して一対の側壁シート部分４４０が、底壁シート部分４１０と面一に連結形成されている。ここでの折り目４６３は、シート部分相互間の境界線に成形された罫線に、後側の所定範囲を残して破線状の切れ目を入れることで形成されている。
【００８１】
また、一対の側壁シート部分４４０それぞれの後側には、折り目４６４を介して当接壁シート部分４５０が面一に連結形成されている。ここでの折り目４６４は、シート部分相互間の境界線に成形された罫線のみで形成されている。
【００８２】
この第２の別例では、上述の実施形態と同様に、前側斜壁シート部分２５０が底壁シート部分４１０側へと折起こされ、係止片シート部分２８０が、スリット用切れ目２７０によって構成されるスリットに挿入係止される。他方、後側については、前側斜壁シート部分２５０について折起こされる側壁シート部分４４０から、当接壁シート部分４５０が内側に折り曲げられるのみである。この当接壁シート部分４５０は、折起こされた後側の端壁シート部分４３０に当接する。このような第２の別例によっても、包装容器を効率良く箱状に保形することができることは言うまでもない。
【００８３】
尚、前述した実施形態は本発明の代表的な形態を示したに過ぎず、本発明は、この実施形態に限定されるものではない。即ち、当業者は、従来公知の知見に従い、本発明の骨子を逸脱しない範囲で種々変形して実施することができる。かかる変形によってもなお本発明の包装容器、及び、包装容器の展開体の構成を具備する限り、勿論、本発明の範疇に含まれるものである。
【００８４】
例えば、前述した実施形態や別例では、本発明にいう包装容器、及び、包装容器の展開体の各一例として、段ボール紙製の包装容器１や、包装容器の展開体２，３，４が例示されている。しかしながら、本発明にいう包装容器、及び、包装容器の展開体は、段ボール紙製に限るものではなく、例えば厚紙製や樹脂製のもの等、その具体的な材料を問うものではない。
【００８５】
また、前述した実施形態では、本発明にいう包装容器、及び、包装容器の展開体の各一例として、上面視で八角形の包装容器１、そのような包装容器の展開体２，３、及び上面視で五角形の包装容器の展開体４が例示されている。しかしながら、本発明にいう包装容器、及び、包装容器の展開体は、これらに限るものではなく、その具体的な形状を問うものではない。
【００８６】
また、前述した実施形態では、本発明にいう包装容器、及び、包装容器の展開体の各一例として、ピザを収容対象とした包装容器１、及び、包装容器の展開体２，３，４が例示されている。本発明にいう包装容器、及び、包装容器の展開体は、これらに限るものではない。収容対象は、ピザ以外の円形状の食品や、皿や蛍光灯等といった食品以外の円形状の商品や、ホースや電線等といった円形状にまとめて収容可能な商品等、その具体的な態様を問うものではない。
【符号の説明】
【００８７】
１    包装容器
２，３，４    包装容器の展開体
１１０    底壁
１１１，１１１ａ，１１１ｂ    端辺
１１２    側辺
１１３    前側斜辺
１１４    後側斜辺
１２０    蓋壁
１２２    差入れ壁
１３０，１３１，１３２    端壁
１４０    側壁
１５０    前側斜壁
１５２    挿抜用折り目
１６０    後側斜壁
１７０    スリット
１８０    係止片
１９１    第１連結壁
１９２    第２連結壁
２１０，４１０    底壁シート部分
２２０，４２０    蓋壁シート部分
２２２    差入れ壁シート部分
２３０，２３１，２３２，４３０    端壁シート部分
２４０，４４０    側壁シート部分
２５０    前側斜壁シート部分
２６０，３１０    後側斜壁シート部分
２７０    スリット用切れ目
２８０    係止片シート部分
２９１    第１連結壁シート部分
２９２    第２連結壁シート部分
Ｄ４    挿抜方向
【図１】
2018002273.tif 000003
【図２】
2018002273.tif 000004
【図３】
2018002273.tif 000005
【図４】
2018002273.tif 000006
【図５】
2018002273.tif 000007
【図６】
2018002273.tif 000008
【図７】
2018002273.tif 000009